(57)【要約】【課題】FM多重放送帯域（デジタル伝送帯域）を利用する非音声情報通信を行う無線装置を提供する。【解決手段】FM多重放送システムに対応した受信部を備えた無線通信可能な複数の端末によって構築される無線通信システムであって、受信部の復調方式に対応する変調方式で送信する送信部２と、端末を識別するための識別情報と通信情報を設定して送信データを生成し、送信データを送信するためにデータフォーマットをFM多重放送システム用の送信方式に変換し、受信部が他の端末から送信された送信データを受信したときは識別情報と通信情報に基づいて表示内容を制御する制御部６とを具備する無線通信システムである。【選択図】図１
2007194690.tif 000002
【特許請求の範囲】
【請求項１】
FM多重放送システムに対応した受信部を備えた無線通信可能な複数の端末によって構築される無線通信システムであって、
前記各端末が、前記受信部の復調方式に対応する変調方式で送信する送信部と、
前記端末を識別するための識別情報と通信情報を設定して送信データを生成し、前記送信データを送信するためにデータフォーマットを前記FM多重放送システム用の送信方式に変換し、前記受信部が他の端末から送信された前記送信データを受信したときは前記識別情報と前記通信情報に基づいて表示内容を制御する制御部と、
を具備することを特徴とする無線通信システム。
【請求項２】
前記端末は、無線通信を開始するとき送受信可能な範囲の他の端末の使用している周波数をサーチし、前記サーチ結果から前記無線通信をするチャンネルを選択する手段と、
前記チャンネルを使用して前記無線通信に参加することを通知するネットワーク参加信号を送信する手段と、
前記他の端末からネットワーク参加信号により応答があるときは前記応答に基づいて前記端末を識別する情報を登録するメンバーリストの更新をする手段と、
を具備することを特徴とする請求項１に記載の無線通信システム。
【請求項３】
前記端末は、ネットワーク参加信号を受信したとき、前記チャンネルを使用して前記無線通信に参加可能であることを、前記送信元の前記端末にネットワーク参加信号を返信する手段と、
前記受信したネットワーク参加信号に基づいて前記メンバーリストを更新する手段と、
を具備することを特徴とする請求項２に記載の無線通信システム。
【請求項４】
前記端末は、一定時間毎にネットワーク参加信号を送信し、所定時間内に前記他の端末から応答がないときは前記メンバーリストから応答のない前記端末の識別する情報を削除する手段を具備することを特徴とする請求項３に記載の無線通信システム。
【請求項５】
前記端末は、前記送受信可能な範囲で前記識別情報を構成するデータの送信開始を示すスタートビットと、終了を示すストップビットを検知する手段と、
前記スタートビットを検知した場合は、一定時間前記送信を待機させ、前記ストップビットを検知したのちに前記送信を開始する手段と、
を具備することを特徴とする請求項４に記載の無線通信システム。
【請求項６】
FM多重放送システムに対応した受信部を備えた無線装置であって、
前記受信部の復調方式に対応する変調方式で送信する送信部と、
前記無線装置を識別するための識別情報と通信情報を設定して送信データとし、前記送信データを送信するためにデータフォーマットを前記FM多重放送用の送信方式に変換し、前記受信部が他の無線装置から送信された前記送信データを受信したときは前記識別情報と前記通信情報に基づいて表示内容を制御する制御部と、
を具備することを特徴とする無線装置。
【発明の詳細な説明】
【技術分野】
【０００１】
本発明は複数参加型の無線通信システムに係り、特にFM多重放送システムを利用した技術に関する。
【背景技術】
【０００２】
近年、携帯電話などを利用しての会話は、公共の場（電車やバス内、映画館、セミナー会場等）での使用を道徳的に好ましくないとして制限される傾向にある。また、携帯電話などを使用しない場合でも、仲間同士が隣席に座っていてもあまり声を出して会話をすることは好ましくない。さらに、電車内で離れた座席に座る場合に、声を出しての会話はマナー上好ましくなく、会話しにくい環境でもある。
【０００３】
このような場合、携帯電話に付随するメール機能を使えばコミュニケーションを取ることが可能となるが、通信代がかかることと、リアルタイム性に優れないため、相手からの反応を待つ時間が長いなどの問題がある。
【０００４】
そこで、FM多重放送システムを利用したリアルタイム通信により上記のような問題を解決する提案を行う。FM多重放送システムの一例としてＲＤＳ（Radio Data System）がある。ＲＤＳは、欧州等では一般的に使用されている方式で、例えばＦＭラジオでは音声帯域の広域側空き領域にデジタル伝送用の帯域を使用するものである。詳細にはラジオ放送信号に付加された副搬送波を周波数変調することによって符号化デジタルデータを送信する。そして、ラジオに付属の表示スクリーン（特に自動車用ラジオ）にメッセージ（例えば自動車の乗員に対する目的地情報のメッセージなど）を表示させる。あるいは現在位置で最適受信を与える周波数に自動同調させたりするために、ＲＤＳ信号によって搬送されてくるデータを処理するＲＤＳ受信機が組み込まれている。
【０００５】
特許文献１では、ＲＤＳ受信機などのデジタル受信機を有するラジオと、移動電話機などのデジタル信号を送出する送信機と設けた装置を用意し、ラジオ放送を受信し、受信信号に含まれるＲＤＳ信号により搬送されたデジタルデータを処理する。そして、ラジオ局によって放送されるＲＤＳ信号はシーケンスの識別コードを、ユーザ識別コードに基づいて必要な情報を送信機で送信させるＲＤＳデータを利用した放送とユーザとの相互間の通信が提案されている。
【０００６】
また特許文献２では、ＲＤＳを利用しない通信が記載されている。親機が備えるデータベース内の情報を子機が親機にアクセスすることにより取り出す装置が提案されている。
【特許文献１】特開表２００１−５１６５２６号公報
【特許文献２】特開平７−１１５３７５号公報
【発明の開示】
【発明が解決しようとする課題】
【０００７】
しかしながら、上記説明したように会話しにくい環境でのマナーの問題について、特許文献１、２では記載されていない。また、メールやチャットに代表されるようなコミュニケーションを取ることにより通信代がかかること、リアルタイム性に優れないため複数の相手からの反応を待つ時間が長いなどの問題がある。
【０００８】
本発明は上記のような実情に鑑てなされたものであり、FMラジオのFM多重帯域（デジタル伝送帯域）を利用する非音声情報通信を行う無線装置を提供することを目的とする。
【課題を解決するための手段】
【０００９】
本発明の態様のひとつであるFM多重放送に対応した受信部を備えた無線通信可能な複数の端末によって構築される無線通信システムであって、上記受信部の復調方式に対応する変調方式で送信する送信部と、上記端末を識別するための識別情報と通信情報を設定して送信データを生成し、上記送信データを送信するためにデータフォーマットを上記FM多重放送システム用の送信方式に変換し、上記受信部が他の端末から送信された上記送信データを受信したときは上記識別情報と上記通信情報に基づいて表示内容を制御する制御部と、を具備する構成である。
【００１０】
好適には、上記端末は、無線通信を開始するとき送受信可能な範囲の他の端末の使用している周波数をサーチし、上記サーチ結果から上記無線通信をするチャンネルを選択する手段と、上記チャンネルを使用して上記無線通信に参加することを通知するネットワーク参加信号を送信する手段と、上記他の端末からネットワーク参加信号により応答があるときは上記応答に基づいて上記端末を識別する情報を登録するメンバーリストの更新をする手段と、を具備する構成としてもよい。
【００１１】
好適には、上記端末は、ネットワーク参加信号を受信したとき、上記チャンネルを使用して上記無線通信に参加可能であることを、上記送信元の上記端末にネットワーク参加信号を返信する手段と、上記受信したネットワーク参加信号に基づいて上記メンバーリストを更新する手段とを具備する構成としてもよい。
【００１２】
好適には、上記端末は、一定時間毎にネットワーク参加信号を送信し、所定時間内に上記他の端末から応答がないときは上記メンバーリストから応答の上記端末の識別する情報を削除する手段を具備する構成としてもよい。
【００１３】
好適には、上記端末は、上記送受信可能な範囲で上記識別情報を構成するデータの送信開始を示すスタートビットと、終了を示すストップビットを検知する手段と、上記スタートビットを検知した場合は、一定時間上記送信を待機させ、上記ストップビットを検知したのちに上記送信を開始する手段と、を具備する構成としてもよい。
【００１４】
本発明の他の態様であるFM多重放送システムに対応した受信部を備えた無線装置であって、上記受信部の復調方式に対応する変調方式で送信する送信部と、
上記無線装置を識別するための識別情報と通信情報を設定して送信データとし、上記送信データを送信するためにデータフォーマットを上記FM多重放送システム用の送信方式に変換し、上記受信部が他の無線装置から送信された上記送信データを受信したときは上記識別情報と上記通信情報に基づいて表示内容を制御する制御部と、を具備する構成とする。
【００１５】
上記構成による複数のFM多重方式を採用した無線装置を利用してネットワークを構築することができるようになる。そして非音声情報通信が可能となる。
【発明の効果】
【００１６】
本発明によれば、声を出して会話できないような環境で多数のメンバー間でコミュニケーションを取ることができる。
また、送信出力や受信感度を向上させることによりネットワークの範囲を広げることができる。安価なＦＭ放送等のシステム（トランスミッタ、ラジオ）の改良で実施できる。変調方式やデータ処理が簡易なことから消費電力を低減できることなどの利点もある。
【００１７】
また、システム自体は小型化できるのでＭＰ３プレーヤ等に組み込み、音楽を聴きながら友人とコミュニケーションも可能となる。
さらに不特定多数とのコミュニケーション環境も構築できるので、インターネット環境でチャット等を楽しんでいる人であれば、気軽にコミュニケーションの輪を広げるなどの使い方もできる。
【発明を実施するための最良の形態】
【００１８】
以下図面に基づいて本発明の実施形態について詳細を説明する。
（実施例１）
（無線装置の構成）
図１は本発明を実施するための無線装置（端末）の構成を示すブロック図である。図１に示す無線装置は、インタフェース部１、送信部２、受信部３、アンテナ４、メモリ５（記録手段）、制御部６、スイッチ７から構成される。
【００１９】
インタフェース部１は入力部８、表示部９から構成されている。入力部８は、文字、文字列、数字、画像、音声などのコミュニケーションを行うためのコミュニケーション情報を選択して入力するキーボードまたは選択ボタンを備えたものである。表示部９の表示画面上のカーソルを移動することで選択する機能を含んでもよい。図２に示すような表示画面が表示され、受信データ、通信内容のログなどが表示される。ここで入力されたデータ（識別情報、通信情報）はメモリ５に記録され制御部６によりFM多重で送受信するためのデータフォーマットに変換する。ここではFM多重について詳細な説明は省略するが、FM多重はＦＭラジオ放送の信号に音声のほかデータを載せて配信する仕組みである。本発明は各端末が放送局の送信の役目を果たし双方向に通信（コミュニケーション）をすることができる。
【００２０】
送信部２は変調回路１０、周波数変換回路１１、アンプ１２から構成されている。変調回路１０はFM多重の送信フォーマットに変換されたデータを、ベースバンドにおける周波数で変調する。さらに周波数変換回路１１でＲＦ（Radio Frequency：無線周波数）帯域まで周波数をアップコンバートを行い、一定の送信出力になるようにアンプ１２により出力信号を増幅する。
【００２１】
受信部３は復調回路１３、周波数変換回路１４、アンプ１５から構成されている。アンテナ４で受信した他の端末から送信された送信信号をアンプ１５と周波数変換回路１４でベースバンドにダウンコンバートする。そして復調回路１３は、その受信した信号を復調する。そして、メモリ５に記録する。メモリ５に記録されたデータは制御部６により制御され、表示部９に必要なデータが表示される。
【００２２】
スイッチ７は、データ送信時にはアンテナ４の送信／受信切替を行う。送信時以外は、常に受信モードで使用する。また、送信したデータについては送受信回路を介さずにメモリから表示部へ出力することも可能である。
【００２３】
なお、この回路は例えば携帯電話やＭＰ３プレーヤ等の小型電子装置に組み込まれており、テキスト入力可能な入力部とテキスト表示可能な表示部を有している。
（複数通信）
本発明の無線装置を利用したシステムで運用するネットワークである。このシステムは、無線装置（以下端末という）間が送受信できる距離に限られるが、同一の周波数およびプロトコルを用いるものであれば不特定多数の端末とリンクすることが可能である。
【００２４】
図３に示すネットワークを示す図は、ネットワークの範囲Ａ（破線円）にある端末３１〜３３が送受信範囲内で通信をし、なおかつグループが同じであることを認識しているため複数通信ができることを示している。また、受信範囲内の端末３４、３５は同じグループに入れば範囲Ｂ（一点破線円）までネットワークの範囲が広がることを示している。
【００２５】
また、上記のような想定されるネットワークの範囲Ａが数１０〜１００ｍ前後である場合で、範囲Ｂが受信範囲外であれば端末３４、３５は端末３１〜３３と通信できない状態になる。しかし、アンテナ等の工夫や個々の端末に中継回路を組み込む等の工夫により範囲Ｂの範囲に広げることも可能である。
【００２６】
また、ＦＭ放送帯域を利用する場合、電波の届く範囲であっても周波数を切り替えることで複数のネットを形成することができる。
また、シーク機能を利用することで自分が利用できるネットを自動的に見つけることも可能である。また、後述するパケットのアドレス制限を行うことで同一周波数であっても特定対象を排除したり、特定の相手（グループ）とだけ通信することも可能である（情報の秘匿性）。
（通信フォーマット）
グループに参加するには図４に示すような方法で参加することができる。
【００２７】
本例ではFM多重放送で送信するデータセル（パケット）のフォーマットを、スタートビット（Start信号）、アドレスビット（Address部）、カウンタビット（Counter部）、データビット（data部）、ストップビット（End信号）などから構成する。
【００２８】
本発明は、フォーマットに限定されるわけではない。スタートビット（Start信号）、アドレスビット（Address部）、カウンタビット（Counter部）、ストップビット（End信号）は識別情報であり、データビット（data部）は通信情報である。
【００２９】
スタートビットはデータ送信開始の宣言を示し、ストップビットはデータの終了の宣言を示す。アドレスビットは、複数ビットで構成され固定アドレス、可変アドレス、個人情報などから構成され、固定アドレスは端末特有のアドレス（端末情報）を格納する。例えばＭＡＣアドレスなどを利用してもよい。
【００３０】
可変アドレスは利用者が自由に決めることができるアドレスで上記グループ番号などを格納する。可変アドレスを利用してグループの判別を行う。個人情報は利用者が自由に入力する情報エリアで、ハンドルネーム（名称、色等の情報）などをインタフェース部１から入力することが可能である。例えば、個人情報により色を変えられる。図２に示すように名称（Ａさん〜Ｃさん）も個人情報を利用する。
【００３１】
カウンタビットは、複数ビットで構成され自身が送信したデータが再送データなのか新規データなのかチェックする。
データビットは、複数ビットで構成されコミュニケーション情報を格納する。
【００３２】
FM多重方式の一種であるＲＤＳ方式を利用する場合伝送速度は１（kbit/sec）程度である。このうち半分の５００ビットをデータ用に使用する場合、６２．５（文字/sec）の情報量になる。実際に通信を行う場合、一度に送信する情報量は多くても５０文字程度と考えれば、（４セル/sec）程度の情報のやりとりが可能である。
【００３３】
データ誤りなどを採用した場合、送信端末が占有する通信時間は１秒程度におさまるので１（kbit/sec）程度の伝送速度でも十分実用に耐えると考えられる。
例えば、人間が文字を打ち込む速度を１（文字/sec）と想定した場合、５０文字打ち込むのに５０秒必要になる。それに比べて送信時間は１秒程度なので数人〜数十人程度のネットワークであれば回線が混む心配はほとんどないと考えられる。
【００３４】
なお、端末個別のアドレスを設定するとアドレスだけで数十から数百ビット消費してしまうので実運用時には可変アドレスのみで固定アドレスおよび個人情報を省略しても良い。個人情報についてはネットワーク構成時にＰＩＮＧデータとして取得するので特に無くても良い。
（通信手順）
図５は通信手順を示した図である。プロセスを成立させるためのネットワーク形成手順と参加端末の確認およびデータ送受信の手順を示す。
【００３５】
ステップＳ１でネットワークへの参加を開始する（図６を参照）。各端末はネットワーク送受信範囲で使用されている周波数（チャンネル）をサーチする。
ステップＳ２では各端末が受信モードで待機（図７を参照）する。このときインタフェース部１からのテキスト入力は常時可能である。
【００３６】
ステップＳ３ではネットワーク情報更新作業を行うか判断し、更新するときはステップＳ４に移行し、更新しないときはステップＳ５に移行する。
ステップＳ４ではネットワーク情報を更新する（図８を参照）。ここで、ネットワーク情報は、グループのメンバー（各端末）の少なくともアドレスをリスト（メンバーリスト）に登録し、メンバーリストに登録されている各端末が送受信可能であるか否かを判別するための情報である。メンバーリストはデータベースのように構成し、各端末のアドレスに対応するように送受信範囲であるかどうかを判断する送受信範囲ビットを設ける。その送受信範囲ビットにフラグを立てることでネットワーク情報を更新する。グループのある端末が電源ＯＦＦ、通信機能ＯＦＦにした場合は、送受信範囲ビットは通信範囲にいないと判断して送受信範囲ビットを通信不可能と判断してメンバーリストを更新する。
【００３７】
ステップＳ５ではデータ送信をするか判断する。送信する場合はステップＳ６に移行する。送信しない場合はステップＳ７に移行する。
ステップＳ６ではデータ送信を行う（図９を参照）。ステップＳ７ではコミュニケーションを終了するか判断し、終了する場合はステップＳ８に移行する。終了しない場合は、コミュニケーション終了までステップＳ２から処理を繰り返し実施する。
【００３８】
ステップＳ８では電源ＯＦＦまたはFM多重放送機能ＯＦＦしてコミュニケーションを終了する。
（ネットワークへの参加）
図６はネットワークへの参加について示す図である。
【００３９】
ステップＳ６１ではネットワークサーチを行う。本例の場合はFM多重放送帯域内に存在する周波数をＦＦＴなどにより測定し、受信レベルが一定レベル以上である周波数を表示部９に表示する。
【００４０】
ステップＳ６２ではネットワークサーチで検出したチャンネル（周波数）から選択する。例えば、グループ（メンバーリストに登録されている端末）で予め決めておいた通信周波数を上記表示された周波数から選択する。周波数選択は自動で行ってもかまわない（ステップＳ１、Ｓ２）。また、ＦＦＴ以外の方法を用いてネットワークサーチを行ってもかまわない。
【００４１】
ステップＳ６３では初期設定が表示される。上記のステップに基づいて周波数、ハンドルネーム、表示色などが表示部９に表示される。
ステップＳ６４ではＰＩＮＧ信号情報を生成する。アドレスビットに情報（ハンドルネーム、表示色等をインタフェース部１から設定する。
【００４２】
ステップＳ６５では上記ＰＩＮＧ信号情報をネットワークに参加するためにネットワーク参加信号として送信する。
ステップＳ６６では他の端末がネットワーク参加信号を受信する。ここで受信する各端末はグループに属していない端末である場合もある。
【００４３】
ステップＳ６７ではＰＩＮＧ信号情報が新参加者のものかを判断する。メンバーリストに登録されていないかを判断し、新参加者でなければステップＳ６８に移行し、新参加者であればステップＳ６９に移行する。ステップＳ６８では何もしない。ここで、新参加者であるかはメンバーリストを参照することで判断する。
【００４４】
ステップＳ６９ではＰＩＮＧ信号情報から新しい参加者の情報（固定アドレス、可変アドレスなどを）取得し、ステップＳ６１０ではメンバーリストの更新を行う。なお一時的な登録（予め設定したメンバーリストにない参加者）である場合は設定によりメンバーリストから自動的に削除することも可能である。例えば送受信範囲から外れた場合などに削除をする。ステップＳ６１１では各受信端末が、新参加者へＰＩＮＧ信号情報をネットワーク参加信号により送信する。
【００４５】
ステップＳ６１１では新参加者の端末（他者（機））からの反応を確認する。応答があった場合はステップＳ６１５に移行する。応答がない場合はステップＳ６１３に移行する。
【００４６】
ステップＳ６１３では参加可能なグループが無いことを表示し、ステップＳ６１４ではネットワークが形成されるまで待機する。
ステップＳ６１５では反応のあったＰＩＮＧ信号情報からメンバーリスト作成し、ステップＳ６１６ではネットワーク参加準備をして、コミュニケーションを開始する。
【００４７】
また、シーク速度を速めるため、予め送受信できる周波数を制限しておく。例えば７７、７９、８１、８３、８５、８７、８９ＭＨｚのみとしても良い。また、誰も送信しない場合、シークから漏れるケースも考えられるので定期的にネットワーク参加信号（ＰＩＮＧ信号情報を含む）を送信する（ＰＩＮＧ信号情報の空射ち）。さらにネットワークを確立したグループ内で一定時間参加者のＰＩＮＧ信号情報が受信できない場合、ネットワークから外れた可能性があることをユーザに伝える（メッセージを表示する）。シーク手順は一つの周波数に対し、一定時間（数秒間）周波数信号の有無をモニタする。規定時間経過後次の周波数にシフトを行い、ネットワークが存在すると思われる周波数（チャンネル）をユーザに表示する。
【００４８】
ネットワークの終了については電源ＯＦＦまたは通信機能ＯＦＦ、ＰＩＮＧ信号情報が無くなれば自然にネットワークが消滅するようにしてもよい。
（データ受信）
図７はデータ受信について示したフローである。
【００４９】
ステップＳ７１では受信部３で受信した受信信号を復調し、復調した通信内容情報をメモリ５に格納する。
ステップＳ７２ではデータのアドレスビットとカウンタビットをチェックする。ステップＳ７３ではエラー訂正などを行う。次にステップＳ７４では修正したデータのテキスト化を行い、ステップＳ７５でテキストを例えば図２に示すように、グループ番号２１、ハンドルネーム２２、通信内容（データビット）２３を表示する。
【００５０】
なお、受信モードを設けて、（ａ）ＡＮＴ切替モード（ＡＮＴ→受信（ＲＸ））、（ｂ）送信部ＯＦＦモード（消費電力低減、ノイズ低減）、（ｃ）受信部ＯＮモードを切替えて消費電力を低減することができる。受信モードは予め設定時間などを決めることで切替えを行っても良い。
（ネットワーク情報の更新）
図８はネットワーク情報の更新の手順を示した図である。
【００５１】
ステップＳ８１では一定時間毎にネットワーク参加信号（ＰＩＮＧ信号情報）を送信する。
ステップＳ８２では所定時間内に他の端末（他者（機））からＰＩＮＧ信号情報を受信し、応答がない場合はステップＳ８３に移行する。応答がある場合はステップＳ８５に移行する。
【００５２】
ステップＳ８３ではＰＩＮＧ信号情報を受け取れなかったことを通知するために、受信不可端末発生メッセージを表示部９に表示する。
さらに、ステップＳ８４では所定時間内にＰＩＮＧ信号情報を受信できなかった場合、ステップＳ８６に移行する。応答がある場合はステップＳ８５に移行する。ステップＳ８５では現状維持のままネットワーク更新を完了する。ステップＳ８３、Ｓ８４は本例では２回であるが特に限定するものではなくループしてもよい。
【００５３】
ステップＳ８６では受信不可端末が会話メンバーから外れたことを表示する。そしてステップＳ８７ではメンバーリストからその端末の送受信範囲ビットのフラグを削除するなどして更新しネットワーク情報更新を完了する。
【００５４】
ここで、コミュニティを形成するネットワーク参加者状況を確認するため、一定時間毎にＰＩＮＧ信号情報を送信する。また、ＰＩＮＧを受信した場合、ＰＩＮＧ信号情報の送信者が既存参加者か新規参加者かの確認を行い、新規であればリストを更新する。既存であればそのままとする。
【００５５】
また、一定時間（例えば３００（sec））待ってＰＩＮＧ信号情報が検出できない端末に対してはネットワークから外れたものと判定し、メンバーリストの送受信範囲ビットのフラグを削除して、通信不能状態であることを表示する。
【００５６】
なお、メンバーを表示から削除するタイミングはまず、３００（sec）以内にＰＩＮＧ信号情報を検出できない時点で、ネットワークから外れた可能性ありを警告し、さらに３００（sec）後にＰＩＮＧ検出できない時点でリスト削除を実施しても良い（警告→削除の順）。
【００５７】
また、ネットワーク参加信号の送信タイミングはデータ送信されていないタイミングを見計って送信されるものとする（データ信号優先）。データ送信を実施した端末は一定時間内にＰＩＮＧ送信を実施したものとして規定時間内におけるＰＩＮＧ送信は行わない（トラフィック低減のため）。
（データ送信）
図９はデータ送受信（送信）のフローを示した図である。
【００５８】
ステップＳ９１ではインタフェース部１から通信内容を入力する。
ステップＳ９２では入力した文字列などのデータ（通信情報）をメモリ５に保存する。そしてステップＳ９３では送信コマンドを実行する。送信時は通信情報をメモリ５から読み出しデータビットに書き込みされる。また、送信の決定は例えば利用者が入力部８から送信内容の決定後、送信コマンド発行に対応する選択キーなどを選び送信する。ここで送信コマンドは送信するためのトリガであればよく、一般的な通信で使用する送信コマンドであればよいためここでは説明は省略する。
【００５９】
ステップＳ９４では他の端末からStart信号が発信されているかを判断する。発信されている場合はステップＳ９５に移行し、発信がされていなければステップＳ９７へ移行する。
【００６０】
ステップＳ９５では他の端末からEnd信号が発信されていないかを判断する。発信されている場合はステップＳ９６に移行し待機する（待機時間はランダム）。発信がある場合はステップＳ９７に移行する。
【００６１】
ステップＳ９７ではステップＳ９２でメモリ５に格納したデータにヘッダ情報（識別情報）を制御部６で付加する。その後送信部２でFM多重で通信するために変調を行う。ステップＳ９８では送信周波数にアップコンバートし、ステップＳ９９では通信内容を含んだ信号を送信する。
【００６２】
ステップＳ９１０では待機する（待機時間はランダム）。
ステップＳ９１１〜Ｓ９１５ではステップＳ９４〜Ｓ９９と同様に、ステップＳ９１１ではStart信号がネットワーク内で使用されていないかを検出し判断する。ステップＳ９１２ではEnd信号が発信されていないかを検出し判断する。Start信号が検出され、End信号が検出できなければステップＳ９１０に移行して待機する。それ以外の場合はステップＳ９１３に移行してデータにヘッダ情報を付加し変調し、ステップＳ９１４では送信周波数変換し、ステップＳ９１５では信号を送信する。
【００６３】
図１０パケット送信状況を示す図である。端末Ａ〜Ｄが送受信範囲で同じグループでネットワークを形成した場合を示している。本例では端末Ｃが端末ＢのStart信号（Ｓ）を見落としたため、送信が重なったケースである（Ｔ２の見落期間）。この場合、端末ＢとＣのデータは混信するため使用不可となる。そこで、Start信号（Ｓ）を受信したら他の端末は送信しない。End信号（Ｅ）を受信したら、他の端末はランダムなウエイト時間で一時停止した後、信号を送信することができる。ただし、ウエイト時間中に他の端末が発するStart信号を検出した場合は再び送信を停止する。
【００６４】
ステップＳ９１６ではデータ送信基本プロセス繰り返し他の端末と通信を行う。ここでステップＳ９３〜Ｓ９９のプロセスは参加をはじめる時の第１参加プロセスであり、ステップＳ９１０〜Ｓ９１６は基本的にコミュニケーションが成立し連続して利用者が双方向通信をFM多重で行っている状態を示している。
【００６５】
繰り返し回数について説明する。例えば、フィールドテスト等でエラー訂正に有効な繰り返し回数を決めた上で繰り返し回数を設定する。運用条件（例えば、電車内、屋内、屋外等）毎に回線品位を維持できる回数を数種類用意しておき、初期設定時に繰り返し回数を変更できるようにしても良い。
【００６６】
また、エラーが発生しやすい場合には自動的に繰り返し回数を上げて精度向上を図る機能を付加しても良い。この場合、精度向上が必要と判定した端末がＰＩＮＧ発信時に他の端末に繰り返し回数設定変更コードを送信し、ユーザ操作のバックグランドで自動変更できるようにしてもかまわない。
【００６７】
上記構成により、声を出して会話できないような環境で多数のメンバー間でコミュニケーションを取ることができる。
また、送信出力や受信感度を向上させることによりネットワークの範囲を広げることができる。安価なＦＭ放送等のシステム（トランスミッタ、ラジオ）の改良で実施できる。変調方式やデータ処理が簡易なことから消費電力を低減できることなどの利点もある。
【００６８】
また、システム自体は小型化できるのでＭＰ３プレーヤ等に組み込み、音楽を聴きながら友人とコミュニケーションも可能となる。
さらに不特定多数とのコミュニケーション環境も構築できるので、インターネット環境でチャット等を楽しんでいる人であれば、気軽にコミュニケーションの輪を広げるなどの使い方もできる。
【００６９】
また、本発明は、上記実施の形態に限定されるものでなく、本発明の要旨を逸脱しない範囲内で種々の改良、変更が可能である。
【図面の簡単な説明】
【００７０】
【図１】本発明を実施するための無線装置の構成を示す図である。
【図２】表示部の表示画面の例を示す図である
【図３】複数通信の原理を示したネットワークを示す図である。
【図４】グループに参加するための方法を示した図である。
【図５】通信手順を示した図である。
【図６】ネットワークへの参加について示す図である。
【図７】データ受信について示したフローである。
【図８】ネットワーク情報の更新の手順を示した図である。
【図９】データ送受信（送信）のフローを示した図である。
【図１０】パケット送信状況を示す図である。
【符号の説明】
【００７１】
１…インタフェース部
２…送信部
３…受信部
４…アンテナ
５…メモリ
６…制御部
７…スイッチ
８…入力部
９…表示部
１０…変調回路
１１…周波数変換回路
１２…アンプ
１３…復調回路
１４…周波数変換回路
１５…アンプ
【図２】
2007194690.tif 000003
【図５】
2007194690.tif 000004
【図６】
2007194690.tif 000005
【図７】
2007194690.tif 000006
【図８】
2007194690.tif 000007
【図９】
2007194690.tif 000008
【図１】
2007194690.tif 000009
【図３】
2007194690.tif 000010
【図４】
2007194690.tif 000011
【図１０】
2007194690.tif 000012